(57)【要約】【課題】少ない数の袋であっても、オンデマンドプリントにより容易且つ安価に各種の表示形状を付与して、所望のデザインを施した袋を作製できる袋用ガセット材料と、袋キットと、袋の製造方法と、を提供する。【解決手段】表面部１１、一方のマチ部１５及び底面部１７の一部を有する第１平坦部３１と、裏面部１３、他方のマチ部１５及び底面部１７の残部を有する第２平坦部３３と、互いに重ね合わされて両端部３１ａ，３３ａを同じ位置に配置した状態で、第１平坦部３１と第２平坦部３３との両側縁３１ｂ，３３ｂを筒状に連結する連結部１４と、を備え、第１平坦部３１及び第２平坦部３３には、一対のマチ部及び底面部１７の成形用折り線２５と、プリント可能面３７と、が設けられている。【選択図】  図２
2017165478.tif 000002
【特許請求の範囲】
【請求項１】
表面部及び裏面部と、一対のマチ部と、底面部と、を有して一端側に開口部が設けられた袋用のガセット材料であって、
前記表面部、一方の前記マチ部及び前記底面部の一部を有する第１平坦部と、
該第１平坦部の背面側において前記裏面部、他方の前記マチ部及び前記底面部の残部を有する第２平坦部と、
前記第１平坦部と前記第２平坦部との両側縁を、両端部が揃うように重ねた状態で、該第１平坦部と第２平坦部とを連結する連結部と、を備え、
前記第１平坦部及び前記第２平坦部には、前記一対のマチ部及び前記底面部の成形用折り線と、プリント可能面と、が設けられている袋用ガセット材料。
【請求項２】
前記第１平坦部と前記第２平坦部とが略四角形形状を有している、請求項１に記載の袋用ガセット材料。
【請求項３】
前記第１平坦部及び前記第２平坦部の各上端部及び各下端部が直線形状を有している、請求項２に記載の袋用ガセット材料。
【請求項４】
前記プリント可能面は、前記第１平坦部と前記第２平坦部の外側面からなる、請求項１乃至３の何れかに記載の袋用ガセット材料。
【請求項５】
前記マチ部を成形する前記成形用折り線は、前記側縁に沿うマチ部谷折り線と、該マチ部谷折り線の両側に略平行に設けられたマチ部山折り線とを有し、
前記底面部を成形する前記成形用折り線は、前記端部に沿う底面部山折り横線と、該底面部山折り横線と前記マチ部山折り線との交点を通るように前記マチ部谷折り線から前記端部側へ傾斜した底面部山折り傾線と、を有する、請求項１乃至４の何れかに記載の袋用ガセット材料。
【請求項６】
前記成形用折り線は、折り目に沿って該折り目の少なくとも端部近傍に形成されるか又は折り目に沿った全体に形成されている、請求項１乃至５の何れかに記載の袋用ガセット材料。
【請求項７】
前記成形用折り線は、折り目に沿って凹状の折り筋として形成されるか、又は筋状又は線として形成される、請求項６に記載の袋用ガセット材料。
【請求項８】
前記請求項１乃至７の何れかに記載の袋用ガセット材料と、
前記表面部及び前記裏面部における前記開口部近傍の内面に貼着可能な一対の提手と、を備えている袋キット。
【請求項９】
前記請求項１乃至８の何れかに記載の袋用ガセット材料の前記プリント可能面に表示形状をプリントし、
前記成形用折り線に沿って折り曲げ成形し、
前記底面部の一部と残部とを接合するとともに、前記表面部及び裏面部における前記開口部近傍の内面に一対の提手を装着する、袋の製造方法。
【請求項１０】
オフセット印刷機によらず、オンデマンドプリンタ、インクジェットプリンタ等の汎用プリンタにより前記プリント可能面に表示形状をプリントする、請求項９に記載の袋の製造方法。
【発明の詳細な説明】
【技術分野】
【０００１】
本発明は、袋を作製するための袋用ガセット材料と、袋用ガセット材料を用いた袋キット、さらに、袋用ガセット材料を用いた袋の製造方法に関する。
【背景技術】
【０００２】
従来、紙材等を用いた袋は、巻取原紙から順次引き出して、袋表面にデザインを施すためオフセット印刷した後、又はオフセット印刷しつつ成形することで一度に多数の袋を製造している（下記特許文献１参照）。
このような製造方法では、同一のデザインで多量の袋を製造することは容易であるが、デザインを変えるには手間を要し、コストが嵩む。従って、通常、同じデザインを施した袋を得るには多量の、例えば千枚以上でオフセット印刷しなければ割安とならない。
これに対して小ロットでデザインを容易に変更できる袋が提案されている（下記特許文献２参照）。これらの袋では、任意にデザインした表面材料を別途用意し、この表面材料を袋本体の表面に接合することで、デザインを容易に変更できるようにしていた。
【先行技術文献】
【特許文献】
【０００３】
【特許文献１】特開２００１−１２９９００号公報
【特許文献２】特開平１１−２６８７５２号公報
【発明の概要】
【発明が解決しようとする課題】
【０００４】
しかしながら、デザインの変更が容易な従来の袋では、デザインを表示するための表面材料を別途用意し、これにオフセット印刷するか複写するかして、それを袋本体の表裏面に余分にそれぞれ１枚ずつ積層し、しかも両者を綺麗に接合しなければならなかった。そのためデザインを変更して袋を製造するのには手間を要しコスト高となっていた。
【０００５】
そこで本発明では、少ない個数の袋であっても、たとえ１個又は数個、もしくは数十個程度の小ロットだけを作りたい場合であっても、所望のデータから直接、オンデマンド印刷やインクジェット印刷などの汎用のプリンタにより容易且つ安価に各種の表示形状をプリントして、所望のデザインを施した袋を作製することができる袋用ガセット材料と、袋用ガセット材料を用いた袋キットと、さらに、袋用ガセット材料を用いた袋の製造方法を提供することを目的とする。
【課題を解決するための手段】
【０００６】
上記目的を達成する本発明の袋用ガセット材料は、添付の図面を参照して説明すると、
表面部１１及び裏面部１３と一対のマチ部１５ａ，１５ｂと底面部１７とを有して上端側３１ａに開口部１９が設けられた袋１０を作製するためのガセット材料２０であって、
前記表面部１１、一方の前記マチ部１５ａ及び前記底面部１７の一部を有する第１平坦部３１と、
該第１平坦部３１の背面側において前記裏面部１３、他方の前記マチ部１５ｂ及び前記底面部１７の残部を有する第２平坦部３３と、
前記第１平坦部３１と前記第２平坦部３３との両側縁１１ａ，１３ａを、両端部３１ａ，３１ｂが揃うように該第１平坦部と第２平坦部とを重ねた状態で連結する連結部１４と、を備えている。
【０００７】
本発明の袋用ガセット材料２０は、好ましくは、第１平坦部３１と第２平坦部３３とが略四角形形状を有する。その場合、第１平坦部３１及び第２平坦部３３の各上端部３１ａ，３３ａ及び各下端部３１ｂ及び３３ｂは直線形状を有する。
またプリント可能面３７は、第１平坦部と第２平坦部の外側全面からなっていてよい。
さらに本発明の袋用ガセット材料２０では、マチ部１５を成形する成形用折り線２５は、成形されるマチ部１５の中央部において側縁３１ｂ，１１ａに沿うマチ部谷折り線４１と、このマチ部谷折り線４１の両側に略平行に設けられたマチ部山折り線４２とを有し、底面部１７を成形する成形用折り線２５は、端部３３ａに沿う底面部山折り横線４３と、この底面部山折り横線４３とマチ部山折り線４２との交点を通るようにマチ部谷折り線４１から端部側へ傾斜した底面部山折り傾線４４と、を有していてもよい。
前記成形用折り線２５は、折り目に沿って該折り目の少なくとも端部近傍に記した目印（トンボとも称する）として形成されるか又は折り目に沿った全体に形成されている。これらの成形用折り線２５は、筋状又は線により形成されるか、又は折り目に沿って凹状の折り筋として形成される。
【０００８】
上記目的を達成する本発明の袋キットは、上述のような袋用ガセット材料２０と、手提げ袋とする場合は表面部１１及び裏面部１３における開口部１９近傍の内面に貼着可能な一対の提手２３と、を備えている。
【０００９】
上記目的を達成する本発明の袋用ガセット材料２０を用いた袋１０の製造方法は、上述のような袋用ガセット材料のプリント可能面３７に表示形状をプリントし、その後、成形用折り線２５に沿って折り曲げ成形し、底面部１７の一部と残部とを接合することで立体形状の袋を形成し、次いで表面部１１及び裏面部１３における開口部１９近傍の内面に一対の提手２３を装着する。
この製造方法では、オンデマンド印刷或いはインクジェット印刷など通常のプリンタによりプリント可能面に表示形状をプリントするのが好適である。
【発明の効果】
【００１０】
本発明における袋用ガセット材料によれば、表面部、一方のマチ部及び底面部の一部を有する第１平坦部と、裏面部、他方のマチ部及び底面部の残部を有する第２平坦部との両側縁を、両端部が揃うように該第１平坦部と第２平坦部とを重ねた状態で、連結部により連結することで、筒状又は環状に形成している。
これにより、袋を構成する筒状又は環状の、表面部及び裏面部と一対のマチ部と底面部とを両側縁で折り畳むことで、第１平坦部及び第２平坦部に平たく配置できるとともに、第１平坦部と第２平坦部とを重ねた状態で平坦な肉薄材料として一体的に取り扱うことができる。
【００１１】
そのため、オンデマンドプリンタやインクジェットプリンタ等の汎用プリンタにおいて、回転するローラなどによりガセット材料を移動させても、第１平坦部と第２平坦部とにズレが生じ難い。これにより汎用プリンタを用いて、スムーズにガセット材料のプリント可能面にプリントすることができ、プリントによりシワが生じたりプリント位置がずれたりするような不具合を防止して、袋用ガセット材料に各種の表示形状を容易にプリントできる。よって、高価なオフセット印刷によることなく、少量の袋であっても容易且つ安価に各種の表示形状を付与することが可能である。
【００１２】
さらに第１平坦部及び第２平坦部には予め一対のマチ部及び底面部を形成可能な成形用折り線が設けられているので、マチ部及び底面部を容易に形成することができる。そのため第１平坦部と第２平坦部とが連結部により連結された筒状の状態であっても、袋を容易に製造できる。
従って、少量の袋であっても容易且つ安価に各種の表示形状を付与して袋を容易に作製することが可能な袋用ガセット材料を提供することができる。
【００１３】
本発明における袋キットによれば、上述のような袋用ガセット材料と、袋用ガセット材料に貼着可能な一対の提手とを備えているので、容易且つ安価に各種の表示形状を付与して袋を作製することが可能である。本発明によって形成した袋は、手提げタイプ、手持ちタイプのものに限らない。また、商品収納用の商品包装用袋の他、例えば丸タック付きの保存袋、結婚式の記念品収納用袋、遊園地等での土産用袋、など各種の包装用袋に適用できる。特に、デジタルカメラやスマートフォンなどで自ら撮影した風景や本人・友人等の写真、絵画、文章など、興趣に応じたプリント表示形状を電子データ化し、これをオンデマンドプリンタによって、袋用ガセット材料に対して必要枚数だけプリントすることができるため、小ロットで且つ非常に安価にオリジナルなデザインの袋を得ることができる。また、需要者は各種店舗からキット品を購入することで、適当なデザインを創作し、これをプリントすれば、折り畳み手順に従って自ら袋を組み立てることができるため、手作り感が得られると共に、甚だ興趣に富んだオリジナルの袋を得ることができる。
【００１４】
本発明における袋キットによれば、上述のような成形用折り線が施された袋用ガセット材料にプリントした後、折り曲げ成形して袋を製造する。
そのため、袋の立体形状を形成する前にプリントすることができ、袋の表示形状のデザインの自由度が高い。また成形用折り線により折り曲げ成形することで袋の立体形状を形成することができるので、プリント後に所望の袋を成形することができる。
従って容易且つ安価に各種の表示形状を付与して袋を製造することが可能である。
本発明によれば、例えば、家庭又は会社の記念行事等の催事で顧客等へ渡す記念品収納用の袋や、結婚式の引き出物を収納する袋などのように、比較的少ロットで袋を作製したい場合にも主催者側で独自に且つ自由に施したデザインを、オンデマンドプリンタやインクジェットプリンタなどの汎用プリンタにより、少ロットで簡単にプリントすることができる。従って、オフセット印刷など多量に製造しなければならない印刷に比較して大幅なコストの低減が可能である。
【図面の簡単な説明】
【００１５】
【図１】本発明の実施形態における袋用ガセット材料を用いて製造された袋を示す斜視図である。
【図２】本発明の実施形態における袋用ガセット材料を示し、（ａ）は正面図、（ｂ）は背面図である。
【図３】図２に示す実施形態の袋用ガセット材料を展開した正面図である。
【図４】（ａ）は本発明の実施形態における袋キットに使用される提手の正面図であり、（ｂ）は袋キットに使用される両面テープの正面図である。
【図５】（ａ）乃至（ｃ）は、本発明の実施形態における袋の製造方法を説明する図である。
【図６】（ｄ）乃至（ｆ）は、本発明の実施形態における袋の製造方法を説明する図である。
【図７】（ｇ）（ｈ）は、本発明の実施形態における袋の製造方法を説明する図である。
【図８】（ｉ）乃至（ｋ）は、本発明の実施形態における袋の製造方法を説明する図である。
【図９】（ｌ）は、本発明の実施形態における袋の製造方法を説明する図である。
【発明を実施するための形態】
【００１６】
以下、本発明の実施形態について、図を用いて詳細に説明する。
まず本実施形態で製造する袋１０について説明する。
袋１０は、図１に示すように、互いに対向する表面部１１及び裏面部１３と、表面部１１の側縁１１ａ及び裏面部１３の側縁１３ａの間に配置された左側のマチ部１５ａ及び右側のマチ部１５ｂで成るマチ部１５と、表面部１１の下端部１１ｂと裏面部１３の下端部１３ｂとマチ部１５の下端部１５ｃとに囲まれた底面部１７とを備えている。
表面部１１の上端部１１ｃと裏面部１３の上端部１３ｃとマチ部１５の上端部１５ｄには、開口部１９が設けられている。表面部１１及び裏面部１３における開口部１９近傍の内面から上方へ突出して一対の提手２３が設けられている。
【００１７】
本実施形態の袋用ガセット材料２０は、図１に示す袋１０を形成するための材料であり、袋１０の各部に対応する部位が設けられている。底面部１７が開放されて提手が装着されていない所謂、胴貼り状態の材料となっている。ガセット材料２０は、プリンタ可能な材質であれば紙製に限らず、合成樹脂製その他の紙材でもよく、厚さもオンデマンドプリンタに挿通可能なものであれば等しく適用できる。
【００１８】
袋用ガセット材料２０は、図２（ａ）（ｂ）に示すように、帯状に形成されて成形用折り線２５（点線図示）が設けられた紙材の長手方向の両縁部が貼合せ部２９で貼り合わされて形成されている。このように、貼り合わせて環状に成形したものをガセット材料２０又は胴貼りとも称する。
図３はガセット材料２０を貼り合わせる前の展開状態を示す平面図である。ガセット材料２０の左右両端にハッチングで示す部分が互いに貼り合わせる部分である。左側の破線で示す貼合せ部分の裏側を右側の実線で示す貼合せ部分の上にして筒状にして貼り合わせることで、表面部１１の背面側で裏面部１３が背中合わせに配置される。
図２及び図３を参照して以下説明する。ガセット材料２０は、表面部１１、一方のマチ部１５ａ及び底面部１７の一部を有する第１平坦部３１と、裏面部１３、他方のマチ部１５ｂ及び底面部１７の残部を有する第２平坦部３３と、第１平坦部３１と第２平坦部３３とを連結する連結部１４、を備えている。
連結部１４は、第１平坦部３１と第２平坦部３３とを互いに重ねるとともに、両上端部３１ａ，３３ａ及び両下端部３１ｂ，３３ｂを同じ位置に配置した状態で、左右の両側縁３１ｃ，３３ｃをそれぞれ連結している。具体的には、一方の連結領域１４ａ（図３において背面側に設けられている）を表面部１１の背面側に山状に湾曲して、他方の連結領域１４ｂの背面に貼り付けることで、平板状のガセット材料２０の両側縁が連結されて筒状又は環状に形成される。
【００１９】
こうして連結部１４により第１平坦部３１と第２平坦部３３とが連結されることで、ガセット材料２０の上下方向の両端部が開口した筒状に形成されている。さらに、一方の折り畳み部３５ａと他方の折り畳み部３５ｂに沿ってそれぞれ山折りすることで、第１平坦部３１と第２平坦部３３とが全体に積層して重ね合わされた扁平形状となっている。なお、連結部１４では、合計３枚で積層されている。
本実施形態では、第１平坦部３１と第２平坦部３３とが略四角形形状を有している。ここでは第１平坦部３１と第２平坦部３３とが同じ外形形状を有し、上下の両側の端部３１ａ，３３ａが直線状に形成され、両側縁３１ｂ，３３ｄに対して略直交方向に配設されている。
【００２０】
第１平坦部３１及び第２平坦部３３には、一対のマチ部１５ａ，１５ｂと底面部１７と開口部１９とを成形するための成形用折り線２５がそれぞれ設けられている。
左右一対のマチ部１５を形成する成形用折り線２５は、側縁３１ｄ，３３ｃに沿うマチ部谷折り線４１と、このマチ部谷折り線４１の両側に略平行に設けられたマチ部山折り線４２とを有している。
上部の開口部１９を形成する成形用折り線２５は、上端部３１ａ，３３ａに沿った内側で直線状に山折り線として設けられている。
下部の底面部１７を形成する成形用折り線２５は、下端部３１ｂ，３３ｂに沿った内側で底面部山折り横線４３と、この底面部山折り横線４３とマチ部山折り線４２との交点を通るようにマチ部谷折り線４１から下端部３１ｂ，３３ｂ側へ傾斜した底面部山折り傾線４４と、を有している。
【００２１】
そして成形用折り線２５が設けられた第１平坦部３１及び第２平坦部３３には、プリント可能面３７が設けられている。プリント可能面３７はプリントにより文字、図、写真、絵、柄など、各種の表示形状をプリントする領域である。予め表示図形の一部がプリントされていてもよい。本実施形態では、成形用折り線が設けられている部位を含め、第１平坦部３１の全面と第２平坦部の全面がプリント可能面３７となっている。プリント可能面３７にプリントするためのプリント装置は、被プリント物の厚みとして平板状のガセット材料２０の厚み、特に貼合せ部２９の厚みが許容範囲であれば特に制限されず、汎用プリンタを用いることができる。
ここで、成形用折り線２５は、折り目の全体に渡って付すことが好ましいが、折り目の両端のみ又は折り目に沿って間欠的に形成されていてもよい。
また、成形用折り線２５としては、筋や点線又は端部にトンボと称される線により折り目印として付されていてもよい。本実施形態では、折り易いように、折り目全体に渡って押圧することで凹状の折り筋として形成している。
【００２２】
次に、本実施形態にかかる袋用ガセット材料２０を用いて袋１０を製造する方法について説明する。
本実施形態では袋キットを用いて袋１０を製造する。
袋キットは、上述のような袋用ガセット材料２０と、図４（ａ）に示すように、表面部１１及び裏面部１３における開口部１９近傍の内面に貼着可能な一対の提手２３と、図４（ｂ）に示すように、好ましくは各部を貼着するための両面粘着テープ４７と、を備えている。両面粘着テープ４７は図４（ｂ）では、台紙に取り付けられているが、単にロール状に巻いた状態で用意されていてもよい。
【００２３】
まず袋用ガセット材料２０のプリント可能面に、任意に表示形状をプリントする。
このとき袋用ガセット材料２０は、図２（ａ）（ｂ）に示されるように、第１平坦部３１と第２平坦部３３が両側縁３１ｂ，３３ｂで連接されて積層された平板状の形態を有する。第１平坦部３１と第２平坦部３３とにはそれぞれ成形用折り線２５が設けられているが、折り曲げられていない。本実施形態のガセット材料２０は、図３のように１枚の平板状に成形され、図３の左右両側縁のハッチングで示す領域を重ねて貼り合わせることで連結部１４とされ、筒状又は環状に形成されている。
プリント可能面３７への表示形状のプリントは、例えば汎用プリンタを用いてオンデマンド印刷により行う。プリントする表示形状の種類、位置、大きさなどは任意であり、例えば表面部１１及び裏面部１３、一対のマチ部１５、底面部１７の全てにプリントすることも可能である。またプリント枚数も適宜設定可能である。
【００２４】
プリント可能面３７に表示形状をプリントした後、成形用折り線２５に沿って順に折り曲げることで折り曲げ成形する。
まず図５（ａ）に示すように、それぞれガセット材料２０の全長にわたりマチ部谷折り線４１を谷折りするとともに、マチ部谷折り線４１の両側のマチ部山折り線４２を山折りすることで、左右一対のマチ部１５を成形する。
図５（ｂ）のように各マチ部１５を内側に折り込んだ状態で平らに成形する。
【００２５】
図５（ｃ）のように下端部３１ａ，３３ａの両側において、底面部山折り傾線４４を利用して角を折り曲げる。
図６（ｄ）のように底面部山折り横線４３で折り曲げて折れ癖を付け、図６（ｅ）のように各マチ部１５を内側に折り込んだ元の状態に戻す。
図６（ｆ）のように底面部１７を開く。
図７（ｇ）のように、マチ部谷折り線４１と底面部山折り傾線４４との交点を凹ませるとともに、マチ部谷折り線４１と底面部山折り横線４３との交点を突出させる。図７（ｈ）のように、その状態で平らに成形する。
【００２６】
図８（ｉ）〜（ｋ）において、符号４７は両面粘着テープを示しているが、表面部１１及び裏面部１３における開口部１９近傍の対応位置に、両面粘着テープ取付位置を示す目印としての貼着指示部４８を表示しておけば組立作業が便宜である。図８（ｉ）のように底面部１７を開いた状態にし、第１平坦部３１の底面部１７を形成する部位の内側面と、第２平坦部３３の底面部１７を形成する部位の内側面とに両面粘着テープ４７を貼り付ける。
図８（ｊ）（ｋ）のように第１平坦部３１の底面部１７と第２平坦部３３の底面部１７とを折り曲げてそれぞれ両面粘着テープ４７により貼着する。
これにより第１平坦部３１に設けられた底面部１７の一部を第２平坦部３３に設けられた底面部１７の残部と接合するとともに、第２平坦部３３に設けられた底面部１７の残部を第１平坦部３１に設けられた底面部１７の一部と接合する。
そして図９（ｌ）のように、開口部１９を形成する成形用折り線２５を直線状に山折りして、上端部３１ａ，３３ａに開口部１９を形成する。
このような折り曲げ成形を行うことで、袋用ガセット本体５０を作製する。
【００２７】
次に、ガセット本体５０の表面部１１及び裏面部１３における開口部１９近傍の内面に、図４（ａ）に示す一対の提手２３を装着する。本実施形態では、提手本体２３ａが装着片２３ｂに固定されているので、装着片２３ｂを両面粘着テープ４７により貼着する。
このようにして袋１０を製造が終了する。
【００２８】
以上のような本実施形態の袋用ガセット材料２０によれば、表面部１１、一方のマチ部１５ａ及び底面部１７の一部を有する第１平坦部３１と、裏面部１３、他方のマチ部１５ｂ及び底面部１７の残部を有する第２平坦部３３と、が互いに重ねて配置されている。そして両端部３１ａ，３３ａを同じ位置に配置した状態で、両側縁３１ｂ，３３ｂで筒状に連結されている。
【００２９】
そのため、第１平坦部３１と第２平坦部３３とを重ねた状態で一体的に取り扱うことができるとともに、袋１０を構成するための表面部１１及び裏面部１３と、一対のマチ部１５と、底面部１７とを第１平坦部３１及び第２平坦部３３に平たく平坦に配置できる。
【００３０】
これにより袋用ガセット材料２０をローラなどで挟持して移動させても、第１平坦部３１と第２平坦部３３とにズレが生じ難い。従って汎用プリンタを用いてプリント可能面３７に複写プリントすることが可能で、プリントによりシワが生じたり、プリント位置がずれたりするような不具合を防止して、袋用ガセット材料２０に各種の表示形状を容易にプリントできる。よって少ない数の袋であっても容易且つ安価に各種の表示形状を付与することができる。
【００３１】
さらに第１平坦部３１及び第２平坦部３３には予め一対のマチ部１５及び底面部１７を形成可能な成形用折り線２５が設けられているので、マチ部１５及び底面部１７を容易に成形することが可能である。そのため第１平坦部３１と第２平坦部３３とが連結部１４により連結された筒状の状態から、袋１０の形状に成形することが容易である。
よって少ない数の袋１０であっても所望の原稿や原画などから容易且つ安価に各種の表示形状を付与して袋を作製することができる袋用ガセット材料２０を提供することが可能である。
【００３２】
本実施形態の袋用ガセット材料２０では、第１平坦部３１と第２平坦部３３とが略四角形形状を有している。ここでは、第１平坦部３１及び第２平坦部３３の一対の端部３１ａ，３３ａが直線形状を有している。そのため袋用ガセット材料２０全体を四角形形状のシート材料のように取り扱うことが容易であり、汎用プリンタにより、より容易にプリントすることができる。
【００３３】
本実施形態の袋用ガセット材料２０では、プリント可能面３７が第１平坦部３１と第２平坦部３３の外側全面からなるので、表面部１１及び裏面部１３と一対のマチ部１５と底面部１７との袋１０全体に表示形状を付すことができ、袋１０の外観品質を向上できる。
【００３４】
本実施形態の袋用ガセット材料２０では、マチ部１５がマチ部谷折り線４１と、その両側のマチ部山折り線４２とを有し、底面部１７が底面部山折り横線４３と、底面部山折り横線４３と、を有している。各成形用折り線２５を利用して折り曲げ成形することで、袋１０の外形を容易に適切な形状に成形することが可能である。
しかも本実施形態の袋用ガセット材料２０では、スリットや切り欠き等を形成する必要がなく、また端部形状も簡素化できるため、製造も容易である。
【００３５】
本実施形態の袋キットでは、このような袋用ガセット材料２０と、袋用ガセット材料２０に貼着可能な一対の提手２３とを備えている。そのため容易且つ安価に各種の表示形状を外周面に付与して手提げ袋として作製することが可能である。
【００３６】
本実施形態の袋１０の製造方法によれば、上述のような成形用折り線２５が施された袋用ガセット材料２０にプリントした後、折り曲げ成形して袋１０を製造する。
そのため、袋１０の立体形状を形成する前にプリントすることができて、袋１０の表示形状の位置や大きさに制限がなくて、デザインの自由度が高い。
また成形用折り線２５により折り曲げ成形することで袋１０の立体形状を形成することができるので、プリント後に適切な形状の袋１０を成形することができる。
よって容易且つ安価に各種の表示形状を付与して袋を製造可能な製造方法を提供することができる。
【００３７】
本実施形態の袋１０の製造方法では、オンデマンドプリンタやジェットインク方式の汎用プリンタによりプリント可能面３７に表示形状をプリントする。そのため少量であっても外周面に各種の表示形状を付与して袋を製造することができ、袋１０を少量多品種で安価に製造するのに好適である。
【符号の説明】
【００３８】
１０  袋（手提げ袋）
１１  表面部
１１ａ  側縁
１１ｂ  下端部
１１ｃ  上端部
１３  裏面部
１３ａ  側縁
１３ｂ  下端部
１３ｃ  上端部
１４  連結部
１４ａ  一方の連結領域
１４ｂ  他方の連結領域
１５  マチ部
１５ｂ  下端部
１５ｃ  上端部
１７  底面部
１９  開口部
２０  ガセット材料
２３  提手
２３ａ  提手本体
２３ｂ  装着片
２５  成形用折り線
２９  貼合せ部
３１  第１平坦部
３１ａ  端部
３１ｂ  縁部
３３  第２平坦部
３３ａ  端部
３３ｂ  側縁
３５ａ，３５ｂ  折り畳み部
３７  プリント可能面
４１  マチ部谷折り線
４２  マチ部山折り線
４３  底面部山折り横線
４４  底面部山折り傾線
４７  両面粘着テープ
４８  貼着指示部
５０  ガセット本体
【図１】
2017165478.tif 000003
【図２】
2017165478.tif 000004
【図３】
2017165478.tif 000005
【図４】
2017165478.tif 000006
【図５】
2017165478.tif 000007
【図６】
2017165478.tif 000008
【図７】
2017165478.tif 000009
【図８】
2017165478.tif 000010
【図９】
2017165478.tif 000011